(57)【特許請求の範囲】
【請求項１】
外周側面に複数の突起片を有するリアフレームと、前記リアフレームの前面開口部に配
置された表示パネルとを有する表示装置本体と、
前記リアフレームの外周縁に配置された横ベゼル部及び縦ベゼル部からなるベゼルとを
備え、
前記縦ベゼル部が、端部で横ベゼル方向に延在する略コ字状に構成され、
前記横ベゼル部及び前記縦ベゼル部は、前記各突起片に係脱可能に係合する複数の係合
部を有し、
前記横ベゼル部および前記縦ベゼル部のうち一方は、前記突起片に対して第１方向にス
ライドされた後、前記第１方向とは異なる第２方向にスライドされることにより、前記係
合部が前記突起片と係合するとともに、係合状態において、前記横ベゼル部および前記縦
ベゼル部の他方が前記リアフレームとの係合解除方向へ移動することを阻止するように構
成されている、表示装置。
【請求項２】
前記横ベゼル部および前記縦ベゼル部の一方は、係合状態において、前記リアフレーム
との間に前記横ベゼル部および前記縦ベゼル部の他方を挟み込むように配置されることに
より、前記横ベゼル部および前記縦ベゼル部の他方が前記リアフレームとの係合解除方向
へ移動することを阻止するように構成されている、請求項１に記載の表示装置。
【請求項３】
前記横ベゼル部および前記縦ベゼル部の一方は、係合状態において、端面が前記横ベゼ
ル部および前記縦ベゼル部の他方に対して係合解除方向側から当接するように配置される
ことにより、前記横ベゼル部および前記縦ベゼル部の他方が前記リアフレームとの係合解
除方向へ移動することを阻止するように構成されている、請求項１に記載の表示装置。
【請求項４】
前記横ベゼル部および前記縦ベゼル部のうち他方は、前記突起片に対して第３方向にス
ライドされた後、前記第３方向とは異なる第４方向にスライドされることにより、前記係
合部が前記突起片と係合するように構成されている、請求項１〜３のいずれか１項に記載
の表示装置。
【請求項５】
前記横ベゼル部および前記縦ベゼル部の一方が前記突起片に対して前記係合部を係合さ
せる際にスライドされる前記第１方向と、前記横ベゼル部および前記縦ベゼル部の他方が
前記突起片に対して前記係合部を係合させる際にスライドされる前記第３方向とは、互い
に向きが異なり、
前記横ベゼル部の係合部と前記縦ベゼル部の係合部とは、互いに別個に前記突起片と係
合可能に構成されている、請求項４に記載の表示装置。
【請求項６】
前記各係合部が、前記横ベゼル部及び前記横ベゼル部の両端に一体突設した延長板に形
成した係合孔と、前記縦ベゼル部の両端に形成した係合凹溝とからなり、
前記係合凹溝の内周面に段差が形成されており、
前記各横ベゼル部及び各延長板の係合孔を前記各突起片に係合させることにより、前記
横ベゼル部が前記リアフレームの上下縁に配置されるように構成されており、
前記各縦ベゼル部の両端を前記延長板に重合させ、前記両端の係合凹溝を前記各突起片
に係合させて前記各係合凹溝の段差を前記各突起片に引っ掛けることにより、前記縦ベゼ
ル部が前記リアフレームの両側縁に配置されるように構成されている、請求項１または２
に記載の表示装置。
【請求項７】
前記各係合部が、前記横ベゼル部の両端及び前記縦ベゼル部の両端に形成した係合凹溝
からなり、
前記係合凹溝の内周面に段差が形成されており、
前記各横ベゼル部の各係合凹溝を前記各突起片に係合させて前記各係合凹溝の段差を前
記各突起片に引っ掛けることにより、前記横ベゼル部が前記リアフレームの上下縁に配置
されるように構成されており、
前記各縦ベゼル部の両端の係合凹溝を前記各突起片に係合させて前記各係合凹溝の段差
を前記各突起片に引っ掛けることにより、前記縦ベゼル部が前記リアフレームの両側縁に
配置されるように構成されている、請求項１または３に記載の表示装置。
【発明の詳細な説明】
【技術分野】
【０００１】
本発明は、例えば液晶テレビや液晶モニターなどの表示装置に関し、特に、部品点数が
少なくて組立作業を迅速容易に行うことができるようにした。
【背景技術】
【０００２】
従来、薄型表示装置の一例として図１０の正面図に示すものがあり、これは液晶テレビ
であって、前後方向ａ，ｂ（図２参照）に沿って互いに嵌合するフロントキャビネット１
ａ及びリアキャビネット１ｂ（図２参照）からなるキャビネット１内に液晶モジュ−ル（
表示装置本体）２が配置され、該液晶モジュ−ル２は、金属製リアフレーム３の前面開口
部に液晶パネル（表示パネル）４を配置し、該リアフレーム３内にバックライト（図示せ
ず）を配置したものであり、液晶パネル４の外周縁を覆う横断面略Ｌ字状の金属製ベゼル
Ｂが、リアフレーム３の上下縁に配置した一対の横ベゼル部Ｂ１，Ｂ２と、該リアフレー
ム３の両側縁に配置した一対の縦ベゼル部Ｂ３，Ｂ４とからなり、その一対の縦ベゼル部
Ｂ３，Ｂ４が、リアフレーム３の各側縁に対向する本体枠Ｂ３ａ，Ｂ４ａと、該各本体枠
Ｂ３ａ，Ｂ４ａの両端から直角に折れ曲がってリアフレーム３の上下縁まで延びる一対の
端枠Ｂ３ｂ，Ｂ４ｂとを有し、その各ベゼル部Ｂ１〜Ｂ４がビス５（係止手段）によりリ
アフレーム３に止着され、該リアフレーム３に一体突設したフランジからなる固定部３ａ
がフロントキャビネット１ａの裏面に一体突設したボス６にねじ７で止着されている。な
お、関連する技術として特許文献１に記載にしたものがある。
【先行技術文献】
【特許文献】
【０００３】
【特許文献１】特開２００５−１９６２１０号公報
【発明の概要】
【発明が解決しようとする課題】
【０００４】
上記従来の構成では、各ベゼル部Ｂ１〜Ｂ４がリアフレーム３に多数のビス５で止着さ
れており、その多数のビス５を用いていることから、部品点数が増加し、コストアップに
なると共に、その各ビス５のねじ込みに手間と時間とがかかって面倒であり、作業能率が
低いという難点がある。
【０００５】
本発明は、上記従来の欠点に鑑み、部品点数が少なくて組立作業を迅速容易に行うことが
できるようにした表示装置を提供することを目的としている。
【課題を解決するための手段】
【０００６】
上記目的を達成するため、請求項１に記載の発明は、外周側面に複数の突起片を有する
リアフレームと、リアフレームの前面開口部に配置された表示パネルとを有する表示装置
本体と、リアフレームの外周縁に配置された横ベゼル部及び縦ベゼル部からなるベゼルと
を備え、縦ベゼル部が、端部で横ベゼル方向に延在する略コ字状に構成され、横ベゼル部
及び縦ベゼル部は、各突起片に係脱可能に係合する複数の係合部を有し、横ベゼル部およ
び縦ベゼル部のうち一方は、突起片に対して第１方向にスライドされた後、第１方向とは
異なる第２方向にスライドされることにより、係合部が突起片と係合するとともに、係合
状態において、横ベゼル部および縦ベゼル部の他方がリアフレームとの係合解除方向へ移
動することを阻止するように構成されている。
請求項２に記載の発明は、請求項１に記載の発明において、横ベゼル部および縦ベゼル
部の一方は、係合状態において、リアフレームとの間に横ベゼル部および縦ベゼル部の他
方を挟み込むように配置されることにより、横ベゼル部および縦ベゼル部の他方がリアフ
レームとの係合解除方向へ移動することを阻止するように構成されている。
請求項３に記載の発明は、請求項１に記載の発明において、横ベゼル部および縦ベゼル
部の一方は、係合状態において、端面が横ベゼル部および縦ベゼル部の他方に対して係合
解除方向側から当接するように配置されることにより、横ベゼル部および縦ベゼル部の他
方がリアフレームとの係合解除方向へ移動することを阻止するように構成されている。
請求項４に記載の発明は、請求項１〜３のいずれかに記載の発明において、横ベゼル部
および縦ベゼル部のうち他方は、突起片に対して第３方向にスライドされた後、第３方向
とは異なる第４方向にスライドされることにより、係合部が突起片と係合するように構成
されている。
請求項５に記載の発明は、請求項４に記載の発明において、横ベゼル部および縦ベゼル
部の一方が突起片に対して係合部を係合させる際にスライドされる第１方向と、横ベゼル
部および縦ベゼル部の他方が突起片に対して係合部を係合させる際にスライドされる第３
方向とは、互いに向きが異なり、横ベゼル部の係合部と縦ベゼル部の係合部とは、互いに
別個に突起片と係合可能に構成されている。
【０００７】
請求項６に記載の発明は、請求項１または２に記載の発明において、各係合部が、横ベ
ゼル部及び横ベゼル部の両端に一体突設した延長板に形成した係合孔と、縦ベゼル部の両
端に形成した係合凹溝とからなり、係合凹溝の内周面に段差が形成されており、各横ベゼ
ル部及び各延長板の係合孔を各突起片に係合させることにより、横ベゼル部がリアフレー
ムの上下縁に配置されるように構成されており、各縦ベゼル部の両端を延長板に重合させ
、両端の係合凹溝を各突起片に係合させて各係合凹溝の段差を各突起片に引っ掛けること
により、縦ベゼル部がリアフレームの両側縁に配置されるように構成されている。
【０００８】
請求項７に記載の発明は、請求項１または３に記載の発明において、各係合部が、各横
ベゼル部の両端及び各縦ベゼル部の両端に形成した係合凹溝からなり、係合凹溝の内周面
に段差が形成されており、各横ベゼル部の各係合凹溝を各突起片に係合させて各係合凹溝
の段差を各突起片に引っ掛けることにより、横ベゼル部がリアフレームの上下縁に配置さ
れるように構成されており、各縦ベゼル部の両端の係合凹溝を各突起片に係合させて各係
合凹溝の段差を各突起片に引っ掛けることにより、縦ベゼル部がリアフレームの両側縁に
配置されるように構成されている。
【発明の効果】
【０００９】
請求項１に記載の発明によれば、リアフレームの外周面よりも外方に突出する複数の突
起片に各横ベゼル部及び各縦ベゼル部の係合部を係合させるだけで、該各ベゼル部をリア
フレームの外周縁に簡単に係止することができ、従来のビスで止着する場合に比べて、ビ
スの分の部品点数を減少させてコストダウンを図ることができると共に、ビス止め作業を
無くして組立作業の能率を格段に上げることができる。
【００１０】
請求項６に記載の発明によれば、各横ベゼル部及び該各横ベゼル部の両端に一体突設し
た各延長板の係合孔を各突起片に係合させた後、各縦ベゼルの両端を延長板に重合させて
該両端の係合凹溝を各突起片に係合させ、該各係合凹溝の段差を各突起片に引っ掛けるだ
けで、その各ベゼル部をリアフレームの外周縁に簡単に係止することができる。
【００１１】
請求項７に記載の発明によれば、各横ベゼル部の各係合凹溝を各突起片に係合させて該
各係合凹溝の段差を各突起片に引っ掛けると共に、各縦ベゼル部の両端の係合凹溝を各突
起片に係合させて該各係合凹溝の段差を各突起片に引っ掛けるだけで、その各ベゼル部を
リアフレームの外周縁に簡単に係止することができる。
【図面の簡単な説明】
【００１２】
【図１】本発明の実施の一形態である薄型表示装置の正面図である。
【図２】同縦断面図である。
【図３】同液晶モジュ−ルの分解斜視図である。
【図４】（ａ）は同要部の部分斜視図、（ｂ）はＡ−Ａ矢視図、（ｃ）はＢ−Ｂ矢視図、（ｄ）は同部分正面図、（ｅ）はＣ−Ｃ矢視図、（ｆ）は同部分正面図である。
【図５】（ａ）〜（ｃ）は同組立手順を示す説明図である。
【図６】本発明の実施の他の形態である薄型表示装置の正面図である。
【図７】同液晶モジュ−ルの分解斜視図である。
【図８】（ａ）は同要部の部分斜視図、（ｂ）はＤ−Ｄ矢視図、（ｃ）はＥ−Ｅ矢視図、（ｄ）は同部分正面図、（ｅ）はＦ−Ｆ矢視図、（ｆ）は同部分正面図である。
【図９】（ａ）〜（ｃ）は同組立手順を示す説明図である。
【図１０】従来例の正面図である。
【発明を実施するための形態】
【００１３】
図１〜図５は本発明の実施の一形態である薄型表示装置を示すものであり、これは液晶
テレビであって、リアフレーム３側に設けた突起片１０と、各横ベゼル部Ｂ１，Ｂ２に設
けた係合孔（係合部）１１及び各縦ベゼル部Ｂ３，Ｂ４に設けた係合凹溝（係合部）１２
とからなる係止手段が設けられ、リアフレーム３の内周面に合成樹脂製バックライト用反
射体９が配置されている。上記以外の構成で図１０に記載の構成と同一部分に同一符号を
付してその説明を省略する。
【００１４】
図３及び図４に示すように、各横ベゼル部Ｂ１，Ｂ２は、液晶パネル４の前面に対向す
る正面板１３と、該正面板１３から直角に折れ曲がる外周板１４とにより、横断面略Ｌ字
状に形成され、該外周板１４の両端に各横ベゼル部Ｂ１，Ｂ２の長手方向に沿って延長板
１５が一体突設され、該各延長板１５と外周板１４との間の段差によりその各延長板１５
が外周板１４よりその厚さ分だけ内側に下げられている。
【００１５】
図３及び図４に示すように、前記係合孔１１は、各横ベゼル部Ｂ１，Ｂ２の中央と各延
長板１５との複数箇所に該各横ベゼル部Ｂ１，Ｂ２の長手方向に沿って横長矩形状に貫設
されている。
【００１６】
図３及び図４に示すように、前記突起片１０は、前記各係合孔１１に対向してバックラ
イト用反射体９の上下縁外周面の中央及び両端に一体突設されリアフレーム３の貫通孔を
通って該リアフレーム３の外周面よりも外方に突出する横断面矩形状の基端部１０ａと、
該基端部１０ａの先端から前方ａに向かって直角に折れ曲がる抜止部１０ｂとにより、略
Ｌ字状に形成されており、各突起片１０に各係合孔１１を嵌合させたときに、抜止部１０
ｂによりその各係合孔１１が各突起片１０から抜け出ないようにしている。
【００１７】
図３及び図４に示すように、各縦ベゼル部Ｂ３，Ｂ４の本体枠Ｂ３ａ，Ｂ４ａ及び端枠
Ｂ３ｂ，Ｂ４ｂは、液晶パネル４の前面に対向する正面板１６と、該正面板１６から直角
に折れ曲がる外周板１７とにより、横断面略Ｌ字状に形成され、端枠Ｂ３ｂ，Ｂ４ｂの外
周板１７を前記各延長板１５に重合させたときに、その端枠Ｂ３ｂ，Ｂ４ｂの外周板１７
と各横ベゼル部Ｂ１，Ｂ２の外周板１４とが面一状にされる。
【００１８】
図３及び図４に示すように、前記係合凹溝１２は、各端枠Ｂ３ｂ，Ｂ４ｂの外周板１７
の端縁から各縦ベゼル部Ｂ３，Ｂ４の長手方向に沿って横長状に形成され、その各係合凹
溝１２の内周面に段差１８が形成されており、該各係合凹溝１２を各突起片１０に係合さ
せたときに、段差１８を各突起片１０に引っ掛けて、その係合状態を維持する。
【００１９】
液晶モジュ−ル２の組立手順を説明すると、図５（ａ）に示すように、作業台２０上に
リアフレーム３を載置し、該リアフレーム３にバックライト用反射体９や液晶パネル４な
どの各部品を取り付けた後、各横ベゼル部Ｂ１，Ｂ２を上方からリアフレーム３に向けて
下降させ、図５（ｂ）に示すように、各横ベゼル部Ｂ１，Ｂ２及び各延長板１５の係合孔
１１を突起片１０に係合させることにより、その各横ベゼル部Ｂ１，Ｂ２をリアフレーム
３の上下縁に配置した後、各縦ベゼル部Ｂ３，Ｂ４を側方からリアフレーム３に向けて移
動させ、図５（ｃ）に示すように、各縦ベゼル部Ｂ３，Ｂ４の各係合溝１２を各突起片１
０に係合させることにより、その各縦ベゼル部Ｂ３，Ｂ４をリアフレーム３の両側縁に配
置する。
【００２０】
上記構成によれば、リアフレーム３の外周面よりも外方に突出する複数の突起片１０に
対して各横ベゼル部Ｂ１，Ｂ２の係合孔１１及び各縦ベゼル部Ｂ３，Ｂ４の係合凹溝１２
を係合させるだけで、該各ベゼル部Ｂ１〜Ｂ４をリアフレーム３の外周縁に簡単に係止す
ることができ、従来のビス５（図１０参照）で止着する場合に比べて、そのビス５の分の
部品点数を減少させてコストダウンを図ることができると共に、ビス止め作業を無くして
組立作業の能率を格段に上げることができる。
【００２１】
図３及び図４（ａ）に示すように、リアフレーム３及びバックライト用反射体９の４つ
の角部の前側部分を切り欠いて、該各角部の切り残した後側部分により正面視略三角形の
固定部３ａが形成され、該各固定部３ａにビス挿通孔２１が形成されており、図２に示す
ように、各固定部３ａをフロントキャビネット１ａの裏面に一体突設したボス６にねじ７
で止着することにより、液晶モジュール２がフロントキャビネット１ａの裏面に固定され
ている。
【００２２】
図２に示すように、フロントキャビネット１ａの裏面のベゼルＢに対向する部分に押さ
え枠２２が一体突設されており、液晶モジュ−ル２をねじ７止めすることにより、ベゼル
Ｂが押さえ枠２２に押し付けられ、そのベゼルＢをリアフレーム３の外周縁に確実に取り
付けることができる。
【００２３】
また、各固定部３ａが従来のようにリアフレーム３の外方に突出されていないので（図
１０参照）、組立工程で液晶モジュ−ル２を搬送する際に、その固定部３ａが組立工具に
接触するなどして変形されたり損傷されるおそれがなく、液晶モジュ−ル２の歩留りを良
好に維持することができる。
【００２４】
図２に示すように、液晶モジュ−ル２の下部に取付金具２３が連結され、該取付金具２
２にスタンド２４がねじ７により止着されている。
【００２５】
図６〜図９は本発明の実施の他の形態である薄型表示装置を示すものであり、これは液
晶テレビであって、図１〜図５に示す本発明の実施の一形態と基本構造は同一であり、以
下に相違点だけを記載する。
【００２６】
図７及び図８に示すように、各横ベゼル部Ｂ１，Ｂ２の外周板１４の両端に該両端の側
縁からその各横ベゼル部Ｂ１，Ｂ２の長手方向とは直交する方向に沿って段差１８付き係
合凹溝１２が形成され、該各係合凹溝１２に対向してリアフレーム３の両端部近傍に突起
片１０が前後方向ａ，ｂに沿って一体突設されており、各係合凹溝１２を各突起片１０に
係合させ、段差１８を各突起片１０に引っ掛けて、その各係合凹溝１２と各突起片１０と
の係合状態を維持する。
【００２７】
図７及び図８に示すように、各縦ベゼル部Ｂ３，Ｂ４の端枠Ｂ３ｂ，Ｂ４ｂに形成した
係合凹溝１２に対向してリアフレーム３の両端部に突起片１０が前後方向ａ，ｂとは直交
する方向に沿って一体突設されており、各端枠Ｂ３ｂ，Ｂ４ｂの段差１８付き係合凹溝１
２を各突起片１０に係合させ、段差１８を各突起片１０に引っ掛けて、その各係合凹溝１
２と各突起片１０との係合状態を維持する。
【００２８】
液晶モジュ−ル２の組立手順を説明すると、図９（ａ）に示すように、作業台２０上に
リアフレーム３を載置し、該リアフレーム３にバックライト用反射体９や液晶パネル（表
示パネル）４などの各部品を取り付けた後、各横ベゼル部Ｂ１，Ｂ２を上方からリアフレ
ーム３に向けて下降させ、図９（ｂ）に示すように、各横ベゼル部Ｂ１，Ｂ２の係合凹溝
１２を突起片１０に係合させ、該係合凹溝１２の段差１８を突起片１０に引っ掛け、各横
ベゼル部Ｂ１，Ｂ２をリアフレーム３の上下縁に配置した後、各縦ベゼル部Ｂ３，Ｂ４を
側方からリアフレーム３に向けて移動させ、図９（ｃ）に示すように、各縦ベゼル部Ｂ３
，Ｂ４の各係合溝１２を各突起片１０に係合させ、該係合凹溝１２の段差１８を突起片１
０に引っ掛け、各縦ベゼル部Ｂ３，Ｂ４をリアフレーム３の両側縁に配置する。
【００２９】
上記構成によれば、各横ベゼル部Ｂ１，Ｂ２の各係合凹溝１２を各突起片１０にに係合
させて該各係合凹溝１２の段差１８を各突起片１０に引っ掛けると共に、各縦ベゼル部Ｂ
３，Ｂ４の両端枠Ｂ３ｂ，Ｂ４ｂの係合凹溝１２を各突起片１０に係合させて該各係合凹
溝１２の段差１８を各突起片１０に引っ掛けるだけで、その各ベゼル部Ｂ１〜Ｂ４をリア
フレーム３の外周縁に簡単に係止することができ、従来のビス５（図１０参照）で止着す
る場合に比べて、そのビス５の分の部品点数を減少させてコストダウンを図ることができ
ると共に、ビス止め作業を無くして組立作業の能率を格段に上げることができる。
【符号の説明】
【００３０】
１              キャビネット
２              液晶モジュール（表示装置本体）
３              リアフレーム
４              液晶パネル（表示パネル）
９              バックライト用反射体
１０            突起片
１０ａ          突起片の基端部
１０ｂ          突起片の抜止部
１１            係合孔（係合部）
１２            係合凹溝（係合部）
１８            段差
Ｂ              ベゼル
Ｂ１，Ｂ２      横ベゼル部
Ｂ３，Ｂ４      縦ベゼル部
Ｂ３ａ，Ｂ４ａ  縦ベゼル部の本体枠
Ｂ３ｂ，Ｂ４ｂ  縦ベゼル部の端枠
【図１】
0005477142.tif 000002
【図２】
0005477142.tif 000003
【図３】
0005477142.tif 000004
【図４】
0005477142.tif 000005
【図５】
0005477142.tif 000006
【図６】
0005477142.tif 000007
【図７】
0005477142.tif 000008
【図８】
0005477142.tif 000009
【図９】
0005477142.tif 000010
【図１０】
0005477142.tif 000011